(57)【要約】【課題】室内扉の閉戸時における締め出し事態を防止すること。【解決手段】錠箱にラッチの後方に水平方向に後退動自在に作動杆を配設すると共に、該作動杆に係合するレバーを有するサムターンダルマ用リリース構成部材を組み込み、室内扉の閉戸時、前記ラッチが戸枠の縁に当って後退すると、リリース構成部材が作動杆の後退動に協働して前記サムターンダルマの駆動腕をロック片から引き離し、これにより、ラッチカム用ロック片が復帰バネのバネ力により係合解除の方向へ移動することを特徴とする室内扉のサムターン錠の締め出し防止装置。【選択図】  図１
2004204660.tif 000002
【特許請求の範囲】
【請求項１】
錠箱にラッチの後方に水平方向に後退動自在に作動杆を配設すると共に、該作動杆に係合するサムターンダルマ用リリース構成部材を組み込み、室内扉の閉戸時、前記ラッチが戸枠の縁に当って後退すると、リリース構成部材が作動杆の後退動に協働して前記サムターンダルマの駆動腕を、復帰バネを備えたロック片から引き離し、これにより、ラッチカム用ロック片が係合解除の方向へ移動することを特徴とする室内扉のサムターン錠の締め出し防止装置。
【請求項２】
請求項１に於いて、リリース構成部材は、作動杆に形成したレバー逃がし用切欠部の被係合面に先端部の係合爪部が係合するように軸支されたレバーと、このレバーの一端部に先端部側が係合するように設けられ、かつ、水平方向に摺動するスライダーとから構成されていることを特徴とする室内扉のサムターン錠の締め出し防止装置。
【請求項３】
請求項１に於いて、作動杆は角材形状に形成され、その一部に横方向に沿ってレバー逃がし用切欠部２３が形成されていることを特徴とする室内扉のサムターン錠の締め出し防止装置。
【請求項４】
請求項３に於いて、作動杆の先端部にはラッチ軸１３が嵌り合う被嵌合溝２１が形成されていることを特徴とする室内扉のサムターン錠の締め出し防止装置。
【請求項５】
錠箱に、ラッチバネのバネ力によって突出するラッチと、操作部材の操作によって回動可能なラッチカムと、施錠時に該ラッチカムの回動をロックするロック片並びに該ロック片の回動を阻止する駆動腕を有するサムターンダルマとをそれぞれ組み込んだ室内扉のサムターン錠の締め出し防止装置であって、前記ラッチの後方に水平方向に後退動自在に作動杆を配設すると共に、該作動杆に係合するサムターンダルマ用リリース構成部材を組み込み、室内扉の閉戸時、前記ラッチが戸枠の縁に当って後退すると、リリース構成部材が作動杆の後退動に協働して前記サムターンダルマの駆動腕をロック片から引き離し、これにより、ラッチカム用ロック片が復帰バネのバネ力により係合解除の方向へ移動することを特徴とする室内扉のサムターン錠の締め出し防止装置。
【請求項６】
請求項５に於いて、サムターンダルマは、上方のラッチカムに対して所定間隔離間して該ラッチカムの下方に配設され、かつ、リリース構成部材のスライダーの後端部に係合していることを特徴とする室内扉のサムターン錠の締め出し防止装置。
【請求項７】
錠箱にラッチの後方に水平方向に後退動自在に作動杆を配設すると共に、該作動杆に係合するサムターンダルマ用リリース構成部材を組み込み、室内扉の閉戸時、前記ラッチが戸枠の縁に当って後退すると、作動ギヤを有するリリース構成部材が作動杆の後退動に協働して前記サムターンダルマを回動させ、これによりラッチカム用ロック片の一方の係合部６５Ａが係合解除の方向へ移動することを特徴とする室内扉のサムターン錠の締め出し防止装置。
【請求項８】
請求項７に於いて、リリース構成部材３１Ａは、作動杆１５Ａに対して係脱機能を有する第１作動ギヤ３２Ａと、この第１作動ギヤ３２Ａとサムターンダルマ５０Ａとの間に配設されかつ仲介伝達機能を有する第２作動ギヤ４０Ａとから成ることを特徴とする室内扉のサムターン錠の締め出し防止装置。
【請求項９】
請求項７に於いて、リリース構成部材３１Ａは、サムターンダルマ５０Ａ及びラッチカム７０Ａと係脱するロック片６０Ａと共に、作動杆１５Ａを基準にして錠箱の一方側の内部空間に組み込まれていることを特徴とする室内扉のサムターン錠の締め出し防止装置。
【発明の詳細な説明】
【０００１】
【発明の属する技術分野】
本発明は、室内扉のサムターン錠の締め出し防止装置に関する。なお、ここでは「サムターン錠」を住宅内部におけるハンドル錠の施錠装置の意味合いで用いる。
【０００２】
【従来の技術】
建物の内外の扉如何を問わず、建物の出入口又はトイレ、寝室などの室内の出入口に設けた室内扉を、扉が開いている時に施錠して、その後に扉を不注意に閉じた際に締め出し事態が発生する場合がある。そこで、締め出し事態を解消することを目的とした従来例としては、例えば特開２００１−１４６８６５公報が存在する。しかしながら、この公報に記載の実施例は、主として建物の出入口に設けた外扉の扉錠に相応しいものである。何故ならば、該扉錠はラッチ錠の他に鎌錠も備え、錠箱内にはラッチ軸と交差する縦長状のスライダー板を設け、このスライダー板の上下部に、サムターンダルマ及び鎌片をそれぞれロック状態に係止する係合部をそれぞれ形成しているからである。
【０００３】
しかして、上記構成の扉錠に於いて、締め出し事態を防止するために、二段構えの施錠を必要としている。すなわち、始めに、内外いずれかのレバーハンドルをラッチ突出状態から上向きに回動操作して第１施錠をし、次いで、サムターン又は鍵を用いて第２施錠を行う。
【０００４】
上記の実施例の構造は複雑であるが、要は、施錠時に二段階の施錠操作をすることにより、不注意による各施錠片の施錠を予備的に防止し、これにより締め出し事態（インナーロック）の発生を極力防止することにある。
しかしながら、扉錠の施錠機構が複雑化すると、まず製造コストがかかるので問題である。次にインナーロックの防止を目的とするという点では、その目的に斬新性を見出すことができるが、施錠片を複数個設けるので、解錠の際には逆に鍵が必要となる。
【０００５】
すなわち、インナーロックの場合に鍵、ピン等を操作して解錠しなければならないので面倒である。
【０００６】
そこで、現在、トイレ、寝室などの室内の出入口に設けた室内扉に於いて、合理的機構により、締め出し事態（インナーロック）が発生しない扉錠の出現、特に室内扉のサムターン錠の締め出し防止装置の要望されている。
【０００７】
【発明が解決しようとする課題】
本発明の第１の目的は、室内扉の閉戸時における締め出し事態を防止することである。具体的な下位概念の目的として、本発明は、不注意、或いは子供の戯れにより、寝室、トイレ等から出た状態で室内扉を閉じた場合にラッチが後退すると、自動的にサムターン錠の施錠が解錠状態になることを目的とする。第２の目的は、第１の目的を達成しながら、寝室、トイレ等に入室した場合に、当該室内からサムターン錠を簡単に施錠することができることである。第３の目的は、作動杆及びサムターンダルマに対してリリース構成部材を合理的に配設し、錠箱内のスペースを有効的に活用することである。第４の目的は、部品点数を極力少なくし、組立ての容易化を図ることである。これにより安価に製造することもできる。
【０００８】
【課題を解決するための手段】
室内扉のサムターン錠の締め出し防止装置は、錠箱にラッチの後方に水平方向に後退動自在に作動杆を配設すると共に、該作動杆に係合するサムターンダルマ用リリース構成部材を組み込み、室内扉の閉戸時、前記ラッチが戸枠の縁に当って後退すると、リリース構成部材が作動杆の後退動に協働して前記サムターンダルマの駆動腕を、復帰バネを備えたロック片から引き離し、これにより、ラッチカム用ロック片が係合解除の方向へ移動することを特徴とする。
【０００９】
上記構成に於いて、リリース構成部材は、作動杆に形成したレバー逃がし用切欠部の被係合面に先端部の係合爪部が係合するように軸支されたレバーと、このレバーの一端部に先端部側が係合するように設けられ、かつ、水平方向に摺動するスライダーとから構成されていることを特徴とする。
【００１０】
また室内扉のサムターン錠の締め出し防止装置は、錠箱に、ラッチバネのバネ力によって突出するラッチと、操作部材の操作によって回動可能なラッチカムと、施錠時に該ラッチカムの回動をロックするロック片並びに該ロック片の回動を阻止する駆動腕を有するサムターンダルマとをそれぞれ組み込んだ室内扉のサムターン錠の締め出し防止装置であって、前記ラッチの後方に水平方向に後退動自在に作動杆を配設すると共に、該作動杆に係合するレバーを有するサムターンダルマ用リリース構成部材を組み込み、室内扉の閉戸時、前記ラッチが戸枠の縁に当って後退すると、リリース構成部材が作動杆の後退動に協働して前記サムターンダルマの駆動腕をロック片から引き離し、これにより、ラッチカム用ロック片が復帰バネのバネ力により係合解除の方向へ移動することを特徴とする。
【００１１】
さらに、室内扉のサムターン錠の締め出し防止装置は、錠箱にラッチの後方に水平方向に後退動自在に作動杆を配設すると共に、該作動杆に係合する作動ギヤを有するサムターンダルマ用リリース構成部材を組み込み、室内扉の閉戸時、前記ラッチが戸枠の縁に当って後退すると、リリース構成部材が作動杆の後退動に協働して前記サムターンダルマを回動させ、これによりラッチカム用ロック片の一方の係合部６５Ａが係合解除の方向へ移動することを特徴とする。
【００１２】
上記構成に於いて、リリース構成部材３１Ａは、作動杆１５Ａに対して係脱機能を有する第１作動ギヤ３２Ａと、この第１作動ギヤ３２Ａとサムターンダルマ５０Ａとの間に配設されかつ仲介伝達機能を有する第２作動ギヤ４０Ａとから成ることを特徴とする。
【００１３】
なお、ここで「操作部材」には、レバーハンドルのみならずノブも当然に含まれる。
【００１４】
【発明の実施の形態】
まず、環境部材について簡単に説明する。１は寝室、トイレ等の出入口の戸枠、２はストライクを有する受け金具、３は戸枠の縁（直接的にはストライクも含まれる）、４は蝶番を介して戸枠に取付けられかつ水平方向に回動して出入口を開閉する室内扉、５は室内扉の戸先に設けられかつサムターン錠の締め出し防止装置Ｘを備えた錠箱である。
【００１５】
次に錠箱５について簡単に説明する。錠箱５は、普通一般にケース身５ａと、このケース身５ａの一側開口を閉鎖するケース蓋５ｂとから成るが、ここでは細部の図示を省略する。
【００１６】
各構成が組み込まれるケース身５ａには、複数個の軸孔、軸筒、水平案内部（例えば水平案内溝）などが設けられているが、発明の特定事項に直接的に関係のない事項の説明は割愛する。そこで、錠箱５の主な構成部分を説明すると、６はフロント、７は長板状の取付け板、８は取付け板に一体成形されたケース身５ａのケース部である。
【００１７】
次にサムターン錠の締め出し防止装置Ｘを説明する。１１はフロント６を基準にして出没するラッチである。このラッチ１１は、図２（平面図）で示すように、係合頭部１２と、この係合頭部１２に一体的に設けられたラッチ軸１３とから成り、前記係合頭部１２は、戸枠１の縁部３に当る傾斜状摺接面１２ａと、この傾斜状摺接面１２ａと交差し、閉戸時に受け金具２のストライクに係止される係合面（衝止面）１２ｂと、この係合面１２ｂと直交する後壁面１２ｃとを有している。
【００１８】
また前記ラッチ軸１３は、その後端部に環状溝に連設する鍔状嵌合部１３ａを有している。ラッチ１１は、閉戸時に戸枠１の縁部３に当って後退する機能を有するのであれば、その形態や機能を特に限定するものではない。したがって、後退しながら回動する反転ラッチでも良い。なお、ラッチ１１はフロント６並びに取付け板７に形成した開口窓乃至取付け板７及びケース部８に対向壁状に形成されたラッチ枠部１４内に設けられている。
【００１９】
１５はラッチの後方に水平自在に配設された水平杆状の作動杆である。作動杆１５の全体的な形態は、図３で示すように端面矩形状の短い角材形状である。本実施例ではラッチ枠部１４に水平方向に所要の空間を有して連設する作動杆枠部１６内にラッチバネ１７に付勢された状態で組み込まれている。
【００２０】
図３は作動杆の斜視からの説明図、図４はその正面からの説明図、図５は平面からの説明図であるが、これらの各説明図を参照にすると、２１は作動杆１５の先端部に形成されたラッチ軸１３用の段差状被嵌合溝で、この被嵌合溝２１に前述したラッチ軸１３の環状溝を有する鍔状嵌合部１３ａが嵌め込まれる。
【００２１】
一方、２２は作動杆１５の後端部の壁面に形成されたラッチバネ用のバネ端収納凹所（バネ端支持部）で、このバネ端収納凹所２２と作動杆枠部１６の後壁との間にラッチ１１を間接的に付勢するラッチバネ１７が横状態に組み込まれている。
【００２２】
また本発明の要部に関して関連する構成部分として、２３は作動杆１５の底部の後端部寄り一部に横方向に沿って形成され、かつ、切欠部内の前方側に垂直或いは傾斜状の被係合面２４を有するレバー逃し用切欠部である。
【００２３】
さらに、本発明の特定事項ではないが、２５は一側壁（図３を基準にすると正面の壁面）の先端部寄り一部に上端部の縁辺から底部付近に至る所まで形成されたやや幅広の係合溝で、この幅広係合溝２５にはケース部８の上部側に垂れ下がるように配設されたラッチレバーの自由端部が係合する。
【００２４】
３１は作動杆を基準にして錠箱５或いはケース部８内の下方に配設されたリリース構成部材である。このリリース構成部材３１は、作動杆１５の被係合面２４に先端部の係合爪部が係合するように固定軸３４に軸支されたプレート状或いは腕杆状のレバー３２と、このレバー３２の下端部に先端部側が係合するように設けられ、かつ、水平方向に摺動するプレート状のスライダー４０とから構成されている。
【００２５】
図６（正面図）及び図７（右側面図）はレバー３２の一例を示す。これらの各図を参照にすると、３５は上端部に形成された軸孔、３６は上端部の一部に半径方向に突設された係合爪部、３７は下端部に突設された小突起軸、３８は小突起軸とは反対側に突設された摺接部である。前記係合爪部３６は、サムターン施錠時に作動杆１５の被係合面２４に対向する。本実施例では、作動杆１５の被係合面２４はレバー逃し用切欠部２３の一部を構成するために、ラッチ１１の後退動により作動杆１５がラッチバネ１７のバネ力に抗して後退した時は、作動杆１５の被係合面２４に押されながら固定軸３４を支点に回動する。
【００２６】
図８（正面図）及び図９（平面図）は、外観上ピストル形状のスライダー４０の一例を示す。横長のスライダー４０は、本実施例では錠箱５の下方に配設されたレバー３２とサムターンダルマ５０との間に介在し、室内扉４の閉戸時にレバー３２に連動してサムターンダルマ５０の駆動腕５１をロック片６０から引き離す役割を果す（図１，図１４を参照）。したがって、スライダー４０には、両方の部材３２，５０に関係する複数個の係合部或いは被係合部（係合溝、係合孔、係合突起など）が設けられている。
【００２７】
すなわち、４１は幅広の先端部の下部に形成された第１の垂直案内長孔で、この第１の垂直案内長孔４１にはレバー３２の小突起軸３７が係合する。また４２は後端部に形成された第２の垂直案内長孔で、この第２の垂直案内長孔４２にはサムターンダルマ５０の駆動腕５１に突設した突起軸５２が係合する。４３はスライダー３３の前後の適宜部位に突設され、かつ、ケース部８の内壁面に形成された複数本の水平案内溝にそれぞれ係合するスライダー案内軸である。
【００２８】
前記サムターンダルマ５０は、図１０で示すように、錠箱５の下部に形成された図示しない嵌合孔に嵌合する左右一対の筒状嵌合部５３，５３と、これらの筒状嵌合部の間に位置する大径筒状部５４と、この大径筒状部５４の外周壁の一部から半径方向に延びる前述の駆動腕５１と、この駆動腕５１の先端部に突設した前述の突起軸５２と、この突起軸５２の形成位置とは反対でかつ大径筒状部乃至駆動腕５１の一側壁に連設形成した山形状のバネ受け部５５とから成る。
【００２９】
５６はサムターンダルマ５０を所定位置に押さえ付けるサムターンダルマバネで、このサムターンダルマバネ５６は、図１で示すように中央部が固定軸３４に巻装されていると共に、その一端部が作動杆枠部１６の下壁に圧接し、一方、その長い方の他端部は前記バネ受け部５５に乗っかっている。サムターンダルマバネ５６は、クリック機能を有する。
【００３０】
６０はケース部８の後壁８ａと作動杆枠部１６の後壁１６ａとの間に設けられた支軸６１に軸支されたラッチカム用ロック片である。このロック片６０は、本実施例では、先端部が錠箱５の上部に設けられたラッチカム７０に、一方、下端部がサムターンダルマ５０の駆動腕５１にそれぞれ係脱するようにケース部８の後壁８ａ側の中央部に配設されている。
【００３１】
図１１（正面図）及び図１２（右側面図）はラッチカム用ロック片の一例を示す。ロック片６０は、任意形状の金属板を対向状態に折り曲げ、内部に復帰バネ６２を内装するバネ収納空間６３を形成している。６４は錠箱５に横設軸架された支軸６１用の軸孔、６５はこの軸孔６４を基準にした上方の第１係合部、一方、６６は軸孔６４を基準にした下方の第２係合部である。
【００３２】
しかして、前記第１係合部６５はラッチカム７０の角軸孔７１を有する筒状嵌合部７２の外周壁の一部に半径方向に突設された第１被係合部７３に係脱する。ラッチカム７０の前記被係合部７３は、本実施例では魚の尻尾形状に形成され、サムターン施錠時にその中央部の窪み部分にロック片６０の指状第１係合部６５が係合する。
【００３３】
一方、前記第２係合部６６は、ロック片６０の一側壁下端部の一部を指状に延設することによって形成され、サムターン施錠時にサムターンダルマ５０の駆動腕５１の先端部に押し付けられる。６７は所要の切欠空間６８を有して前記第２係合部６６に対向するロック片の当り部で、この当り部６７は、サムターンの解錠時に作動杆枠部１６の後壁１６ａに当る（ストッパー機能）。
【００３４】
前記ラッチカム７０は図示しない内外のハンドルの操作によって回動可能であり、サムターンの解錠時に内外の操作ハンドルをそれぞれ操作すると回動する。本実施例では、ラッチカム７０の第１被係合部７３とは反対側に該被係合部７３と同様の第２被係合部７４が半径方向に突設されている。そして、この第２被係合部７４には、ラッチカム作動腕７６が水平移動可能に係合している。
【００３５】
さらに、本実施例では、このラッチカム作動腕７６が水平方向へ移動すると、前述したラッチレバー８１が上方固定軸８２を支点に揺動するように配設されている。なお、ラッチカム作動腕７６やラッチレバー８１は、本発明の特定要件ではないので、詳細な説明は割愛する。
【００３６】
次に図１３及び図１４を参照に作用について説明する。まず、図１はトイレなどの室内扉４を閉じた時における扉錠（特にサムターン錠）の状態である。図１ではサムターンダルマ５０の駆動腕５１はロック片６０の下方の第２係合部６６から離れて左側に位置している（解錠状態）。
【００３７】
したがって、トイレに入った居住者が、サムターン錠を施錠したい時は、図示しないサムターンを施錠方向に回動すると、サムターンダルマ５０は、図１３の矢印で示すように時計方向に回動する。そうすると、その駆動腕５１の先端部がロック片６０の第２係合部６６を押し付ける。これにより、ロック片６０は復帰バネ６２のバネ力に抗して反時計方向へと回動する。
【００３８】
その結果、ロック片６０の人差し指状第１係合部６５がラッチカム７０の魚の尻尾状第１被係合部７３に係合する。この時、当該室外から誰かが外側の操作レバーを回そうとしても、ラッチカム７０がロック片６０等にストッパーされているので、室内扉４を開けることができない。またこの時、リリース構成部材３１は駆動腕５１の動きに連動するので、スライダー４０が右側（ロック片側）へと移動すると共に、反時計方向へと回動したレバー３２の係合爪部３６は作動杆１５の被係合面２４に対向する。
【００３９】
ところで、一般に居住者がトイレ等に入っている時に、このようにサムターン（サムターンダルマ）を施錠方向（時計方向）に回してロック片６０をラッチカム７０に係止させることには何ら問題はない。何故ならば、トイレ等から出る時は、必ずサムターンダマル５０を解錠方向に戻し、ロック片６０のロックを解かない限り、室内扉４を開けることができないからである。
【００４０】
しかしながら、日常の経験則として、例えば子供が当該室内の外にいて室内扉４を開いた場合に於いて、戯れ或いは不注意にサムターンを施錠方向へ回して室内扉４を閉める場合がある。また、大人であっても室内扉４を開いた場合に不注意によりサムターンを施錠方向へ回す場合もある。このように室外から室内扉を閉めた場合、いわゆる「締め出し事態」となり、室内扉４の外壁面側から、図示しないピン、コイン、鍵などを操作しない限り、容易にサムターン錠を解錠することができないことになる。
【００４１】
そこで、本発明の実施例に於いて、図１４で示すように、室内扉４の閉戸時、ラッチ１１が戸枠１の縁３に当って後退すると、リリース構成部材３１が作動杆１５の後退動に協働し、サムターンダルマ５０の駆動腕５１をロック片６０の第２係合部６６から引き離す。
【００４２】
すなわち、作動杆１５がラッチ１１に押され、かつ、ラッチバネ１７のバネ力に抗して後退すると、レバー３２は、その係合爪部３６が作動杆１５の被係合面２４に押されるため、固定軸３４を支点に時計方向へと回動する。レバー３２が時計方向へと回動すると、スライダー４０は矢印で示すようにフロント６側へ摺動する。この時スライダー４０はサムターンダルマ５０の駆動腕５１を引っ張るので、駆動腕５１はロック片６０の第２係合部６６から離れる。駆動腕５１が第２係合部６６から離れると、ロック片６０は自由となり、復帰バネ６２のバネ力により係合解除の方向へ自動的に回動する。したがって、室内扉４の閉戸時、ラッチ１１が後退することにより、いわゆるインナーロックは常に解消される（常に図１の状態となる）。
【００４３】
【実施例】
本実施例では、ロック片６０は、固定枢軸６１に枢支された回動するが、固定枢軸６１は可動枢軸であっても良い。この場合、例えば錠箱５に可動枢軸用の案内長孔を形成する。しかして、固定枢軸６１が錠箱５に案内される可動軸である場合には、サムターンダルマ５０の駆動腕５１がロック片６０の第２係合部６６から離れると、ロック片６０は、復帰バネ６２のバネ力により係合解除の方向へ移動する。
【００４４】
また作動杆１５の後端部に形成したバネ端収納凹所２２は、バネ端支持用の小突起であっても良い。その他、主たる部材の係合部と被係合部との関係は、単なる設計上の変更事項に過ぎない（均等事項である）。
【００４５】
さらに、本実施例では、作動杆に係合するサムターンダルマ用リリース構成部材を錠箱５の下方に組み込んでいるが、サムターンダルマを上方に配設し、一方、ラッチカムを下方に配設した実施例の場合には、サムターンダルマの配設位置に対応してリリース構成部材も上方に設けられる。
【００４６】
そこで、図１５〜図１９を参照してリリース構成部材を上方に組み込んだ第２実施例を説明する。なお、この第２実施例に於いて、前記第１実施例と同一の部分には、同一又は同様の符号を付し、重複する説明を省略する。
【００４７】
まず第１実施例と第２実施例との違いを簡単に列挙すると、次のとおりである。作動杆１５Ａの形態が異なる点、ラッチバネ１７Ａの配設位置が異なる点、リリース構成部材３１Ａが作動杆１５Ａを基準にして錠箱５の一方（例えば上方）の空間スペースに組み込まれている点、リリース構成部材３１Ａが１又は複数個の作動ギヤに置換されている点、ロック片に復帰バネに代えてサムターンタルマバネ５６Ａを装着した点（ロック片用の復帰バネが不要である点）、ロック片６０Ａも錠箱５の一方の空間スペースに組み込まれている点、ラッチカム７０Ａが作動杆１５Ａを基準にして錠箱５の他方（例えば下方）の空間スペースに組み込まれている点である。その他の設計変更は、本発明の本質的部分ではない。
【００４８】
次に主に異なる部材について説明する。図１５は扉を閉じた状態に於いて、サムターンを施錠方向に廻していない解錠状態を示す。この図１５と図１を比較すると明らかなように、第２実施例の作動杆１５Ａは、第１実施例のそれよりも長く、ラッチ枠１４Ａから作動杆枠部１６Ａを超えてケース枠部８の後壁８ａ付近にまで至る長杆状である。
【００４９】
そこで、図１６は作動杆１５Ａとリリース構成部材３１Ａの作動ギヤ３２Ａの一つを示す。この作動杆１５Ａは、前述したようにラッチ１１の後方に水平動自在に配設された水平杆状の作動杆である点は第１実施例と同様であるが、作動杆１５Ａの全体的な形態は、図１５で示すように端面矩形状の長い角材形状である。この第２実施例では作動杆枠部１６Ａに押しバネ機能を有するラッチバネ１７Ａに付勢された状態で貫通状態に組み込まれている。
【００５０】
図１６を基準に説明すると、２３Ａはレバーではなく、第１作動ギヤ３２Ａの突出係合部３６Ａが係合する作動ギヤ逃がし用切欠部である。この切欠部２３Ａは作動杆１５Ａの中央部の手前側上部に形成されている。したがって、２４Ａは前記第１作動ギヤ３２Ａの突出係合部３６Ａが係合する切欠部２３Ａの被係合面である。
【００５１】
２２Ａは作動杆１５Ａの後端部の壁面に突出形成されたラッチバネ用のバネ端支持部で、このバネ端支持部２２Ａと錠箱５の後壁８ａとの間にラッチ１１を間接的に付勢するラッチバネ１７Ａが横状態に組み込まれている。
【００５２】
２５Ａは作動杆１５Ａの向こう側の側壁に形成された被係合部或いは係合部（幅広の切欠部）で、この幅広切欠部２５Ａには、錠箱５の下方の空間スペースに組み込まれたラッチカム７０Ａの山形状係合部或いは被係合部７３Ａを有する先端部が突き抜けるように入り込んでいる。２６は作動杆１５Ａの後端部寄りの下部に突設されたストッパーで、このストッパー２６は作動杆枠部１６Ａの垂直部分に当接可能である。
【００５３】
ここで、図１６を参照にしてリリース構成部材３１Ａの第１作動ギヤ３２Ａについて説明する。第１作動ギヤ３２Ａは、作動杆１５Ａの被係合面２４Ａにその突出係合部３６Ａが係合するように固定支軸３４Ａを介して回動可能に設けられている。第１作動ギヤ３２Ａのギヤ部３３は、周方向に半分程度程形成されている。したがって、このギヤ部３３と突出係合部３６Ａとを合わせると、第１作動ギヤ３２Ａは周方向に半分強突起部分があることになる。突出係合部３６Ａは作動杆１５Ａの切欠部２３Ａに余裕を持って入り込む関係上、周方向の残りの半分弱にはギヤ部３３が形成されていない。
【００５４】
図１５を参照にすると、５０Ａは錠箱５の後壁寄り上部の内部空間に配設されたギヤ部を有するサムターンダルマである。このサムターンダルマ５０Ａと前記第１作動ギヤ３２Ａとの間にリリース構成部材３１Ａを構成する第２作動ギヤ４０Ａが回動自在に設けられている。
【００５５】
したがって、この第２実施例のリリース構成部材３１Ａは、作動杆１５Ａに対して係脱機能を有する第１作動ギヤ３２Ａと、この第１作動ギヤ３２Ａとサムターンダルマ５０Ａとの間に配設され、かつ、仲介伝達機能を有する第２作動ギヤ４０Ａとから成る。それ故に、これらの作動ギヤ３２Ａ，４０Ａは、第１実施例の腕杆状のレバー３２、プレート状のスライダー４０を歯車機構に置換している。
【００５６】
図１５と図１７を参照にしてアングル状ロック片６０Ａを説明する。ロック片６０Ａは、リリース構成部材３１Ａやサムターンダルマ５０Ａと同様に錠箱５の一方側（例えば上部）の内部空間に配設されている。すなわち、ロック片６０Ａは作動杆１５Ａの後方に位置するラッチバネ１７Ａとサムターンダルマ５０Ａとの間の内部空間に支軸６１Ａを介して回動（揺動）自在に設けられている。ロック片６０Ａの形態は、図１７で示すように端面Ｕ字型状に形成され、かつ、ラッチカム７０Ａの係合部或いは被係合部７３Ａと係脱する第１係合部６５Ａと、この第１係合部６５Ａに交差方向に連設し、かつ、サムターンダルマ５０Ａの駆動腕５１Ａと係合する１対の指状第２係合部６６Ａとを有する。そして、ロック片６０Ａには、支軸６１Ａを介してクリック機能を有するサムターンタルマバネ５６Ａが装着されている。
【００５７】
なお、第２実施例に於いて、リリース構成部材３１Ａは、サムターンダルマ５０Ａ及びラッチカムと係脱するロック片６０Ａと共に、作動杆１５Ａを基準にして錠箱の上方の内部空間に組み込まれているが、もちろん、ラッチカム７０Ａが上方に配設された場合には、下方（一方側）の内部空間に組み込んでも良い。
【００５８】
上記構成に於いて、図１８が第１実施例の図１３（施錠状態）に相当する。つまり、図１８は不注意によりインナーロックの状態になった場合を示す。
図１９は上記の場合に於いて、室内扉４を閉じた場合の瞬間を示す。この場合、第１実施例と同様に作動杆１５Ａがラッチ１１に押され、かつ、ラッチバネ１７Ａのバネ力に抗して後退すると、第１作動ギヤ３２Ａは、その突出係合３６Ａが作動杆１５Ａの被係合面２４Ａに押されるため、固定軸３４Ａを支点に反時計方向へと回動する。第１作動ギヤ３２Ａが反時計方向へと回動すると、第２作動ギヤ４０Ａは矢印で示すように時計方向に回転する。
【００５９】
したがって、サムターンダルマ５０Ａの駆動腕５１Ａは、ロック片６０Ａの一つの係合部６５Ａから離れて、他方の係合部６６Ａへと移動する。このように駆動腕５１Ａがサムターンダルマ５０Ａの回動のより位置を変えると、ロック片６０Ａも係合解除の方向へと多少回転することからラッチカム７０Ａは自由となり、作動杆１５Ａはラッチバネ１７Ａのバネ力に抗して後退する。それ故に、室内扉４の閉戸時、ラッチ１１が後退することにより、いわゆるインナーロックは常に解消される（常に図１５の状態となる）。
【００６０】
【発明の効果】
以上の説明から明らかなように、本発明にあっては、次に列挙するような効果がある。
（１）寝室などの室内の出入口に設けた室内扉を、扉が開いている時に施錠して、その後に扉を不注意に閉じた際に締め出し事態が発生する場合があるが、本発明では、このような室内扉の閉戸時における締め出し事態を防止することができる。
（２）例えば不注意、或いは子供の戯れにより、寝室、トイレ等から出た状態で室内扉を閉じた場合にラッチが後退すると、自動的にサムターン錠の施錠が解錠状態になるので、鍵、ピン、コインなどでサムターン錠を解錠状態にする必要がない。
（３）発明の主たる目的を達成しながら、寝室、トイレ等に入室した場合に、当該室内からサムターン錠を簡単に施錠することができる。
（４）作動杆及びサムターンダルマに対してリリース構成部材を合理的に配設し、錠箱内のスペースを有効的に活用することができる。
（５）部品点数を極力少なくし、組立ての容易化を図ることができる。したがって、安価に製造することができる。
【図面の簡単な説明】
図１乃至図１４は、本発明の第１実施例を示す各説明図。図１３及び図１４は、本発明の作用を説明する概略説明図。図１５乃至図１９は、本発明の第２実施例を示す各説明図。
【図１】室内扉の閉戸時における正面から見た解錠状態の説明図。なお、ここではケース蓋を開いた状態を正面とする。
【図２】ラッチの平面からの説明図。
【図３】作動杆の斜視からの説明図。
【図４】作動杆の正面からの説明図。
【図５】作動杆の平面からの説明図。
【図６】レバーの正面からの説明図。
【図７】レバーの右側面からの説明図。
【図８】スライダーの正面からの説明図。
【図９】スライダーの平面からの説明図。
【図１０】サムターンダルマの右側面からの説明図。
【図１１】ロック片の正面からの説明図。
【図１２】ロック片の右側面からの説明図。
【図１３】サムターン錠の施錠時の概略説明図。
【図１４】サムターン錠の解錠時の概略説明図。
【図１５】第２実施例の室内扉の閉戸時における正面から見た解錠状態の説明図。
【図１６】作動杆とリリース構成部材の第１作動ギヤを示す斜視図。
【図１７】ロック片の一例を示す説明図。
【図１８】サムターン錠の施錠時の概略説明図。
【図１９】サムターン錠の解錠時の概略説明図。
【符号の説明】Ｘ…サムターン錠の締め出し防止装置、１…戸枠、２…受け金具、３…縁、４…室内扉、５…錠箱、６…フロント、８…ケース身のケース部、８ａ…ケース部の後壁、１１…ラッチ、１２…係合頭部、１３…ラッチ軸、１４，１４Ａ…ラッチ枠部、１５，１５Ａ…作動杆、１６，１６Ａ…作動杆枠部、１６ａ…作動杆枠部の後壁、１７，１７Ａ…ラッチバネ、２１…作動杆の被嵌合溝、２３，２３Ａ…逃し用切欠部、２４，２４Ａ…切欠部の被係合面、２５，２５Ａ…係合溝（又は幅広切欠部）、２６…ストッパー、３１，３１Ａ…リリース構成部材、３２，３２Ａ…レバー（又は第１作動ギヤ）、３３…ギヤ部、３４，３４Ａ…固定軸、３５，６４…軸孔、３６…係合爪部、３７…小突起軸、３８…摺接部、４０，４０Ａ…スライダー（第２作動ギヤ）、４１…第１の垂直案内長孔、４２…第２の垂直案内長孔、４３…スライダー案内軸、５０，５０Ａ…サムターンダルマ、５１，５１Ａ…駆動腕、５２…突起軸、５３…筒状嵌合部、５４…大径筒状部、５５…バネ受け部、５６，５６Ａ…サムターンダルマバネ、６０，６０Ａ…ロック片、６１，６１Ａ…支軸、６２…復帰バネ、６３…バネ収納空間、６５，６５Ａ…第１係合部、６６，６６Ａ…第２係合部、６７…当り部、６８…切欠空間、７０，７０Ａ…ラッチカム、７３，７３Ａ…被係合部（或いは係合部）、７６…ラッチカム作動腕、８１…ラッチレバー。
【図１】
2004204660.tif 000003
【図２】
2004204660.tif 000004
【図３】
2004204660.tif 000005
【図４】
2004204660.tif 000006
【図５】
2004204660.tif 000007
【図６】
2004204660.tif 000008
【図７】
2004204660.tif 000009
【図８】
2004204660.tif 000010
【図９】
2004204660.tif 000011
【図１０】
2004204660.tif 000012
【図１１】
2004204660.tif 000013
【図１２】
2004204660.tif 000014
【図１３】
2004204660.tif 000015
【図１４】
2004204660.tif 000016
【図１５】
2004204660.tif 000017
【図１６】
2004204660.tif 000018
【図１７】
2004204660.tif 000019
【図１８】
2004204660.tif 000020
【図１９】
2004204660.tif 000021